(57)【要約】【課題】通信ネットワークを介して医療品のトレース情報をムーズに取得する。【解決手段】メーカ１０ａから提供される医療品に含まれたＩＤタグを読み出して、医療品を識別する識別子に読み出された処理日時と場所と発生したイベントと医療品の情報とが関連づけられたイベントデータをＩＤタグに書き込むとともにイベントデータを情報処理サーバ１に送信するメーカゲート１２ａと、販社ゲート装置２２ａと、病院ゲート装置３２ａと、メーカゲート１２ａと販社ゲート２２ａと病院ゲート３２ａとからイベントデータを受信して、医療品の識別子毎に、処理時刻と医療品が検出された位置とを関連づけたトレース情報を作成する情報処理サーバ１とを備える。【選択図】      図１
2005335926.tif 000002
【特許請求の範囲】
【請求項１】
製品を提供するメーカと、前記メーカから製品を提供される販社と、前記販社から製品を提供されるユーザと通信ネットワークを介して情報を送受信する情報処理サーバを備えた情報処理システムにおいて、
前記メーカに設けられ、前記メーカから提供される前記製品に含まれたＩＤタグを読み出して、前記製品を識別する識別子に前記読み出された処理日時と場所と発生したイベントと前記製品の情報とが関連づけられたイベントデータを前記ＩＤタグに書き込むとともに前記イベントデータを前記情報処理サーバに送信するメーカゲート装置と、
前記販社に設けられ、前記メーカから提供される前記製品に含まれたＩＤタグを読み出して、前記イベントデータを前記ＩＤタグに書き込むとともに前記イベントデータを前記情報処理サーバに送信する販社ゲート装置と、
前記ユーザに設けられ、前記メーカから提供される前記製品に含まれたＩＤタグを読み出して、前記イベントデータを前記ＩＤタグに書き込むとともに前記イベントデータを前記情報処理サーバに送信するユーザゲート装置と、
前記メーカゲート装置と前記販社ゲート装置と前記ユーザゲート装置とから前記イベントデータを受信して、前記製品の識別子毎に、前記処理時刻と前記製品が検出された位置とを関連づけたトレース情報を作成する情報処理サーバ
とを備えることを特徴とする情報処理システム。
【請求項２】
前記情報処理サーバは更に、前記イベントデータに含まれた前記メーカ、前記販社及び前記ユーザのいずれか一つ以上の組織固有のコードを、前記情報処理システムで一意に識別できる共通コードに変換して前記トレース情報を作成する
ことを特徴とする請求項１に記載の情報処理システム。
【請求項３】
製品を提供するメーカと、前記メーカから製品を提供される販社と、前記販社から製品を提供されるユーザと通信ネットワークを介して情報を送受信する情報処理サーバにおいて、
前記メーカ、前記販社及び前記ユーザに設けられたゲート装置から、前記製品を識別する識別子に前記読み出された処理日時と場所と発生したイベントと前記製品の情報とが関連づけられたイベントデータを受信するイベントデータ受信手段と、
前記イベントデータ受信手段で受信された前記イベントデータを読み出し、前記製品の識別子毎に、前記処理時刻と前記製品が検出された位置とを関連づけてトレース情報データベースに記憶するイベントデータ処理手段
とを備えることを特徴とする情報処理サーバ。
【請求項４】
前記イベントデータに含まれた前記メーカ、前記販社及び前記ユーザのいずれか一つ以上の組織固有のコードと、前記情報処理サーバで一意に識別できる共通コードとが関連づけられた共通コードデータベースを更に備え、
前記イベントデータ処理手段は、前記イベントデータに含まれた前記組織固有のコードを、前記共通コードに変換して前記トレース情報データベースに記憶する
ことを特徴とする請求項３に記載の情報処理サーバ。
【請求項５】
前記共通コードデータベースは更に、前記メーカ、前記販社及び前記ユーザのいずれかが属する業界で標準化された標準化コードが更に関連づけられており、
前記メーカ、前記販社及び前記ユーザのいずれか一つの組織に設けられた情報端末から、前記組織内で利用されている組織内コードと前記組織内コードに対応する前記標準化コードとが関連づけられた組織データを受信する組織データ受信手段と、
前記標準化コードをキーとして前記共通コードデータベースを検索し、前記標準化コードに対応する共通コードが抽出された場合、前記組織内コードと抽出された前記共通コードとを関連づけて前記共通コードデータベースに記憶し、前記標準化コードに対応する共通コードが抽出されなかった場合、前記共通コードを新たに採番し、前記共通コードデータベースに記憶する共通コード生成手段
を更に備えることを特徴とする請求項４に記載の情報処理サーバ。
【請求項６】
前記イベントデータ処理手段は更に、前記製品の情報に含まれた有効期限に基づいて、前記製品に関するアラートメッセージを送信する
ことを特徴とする請求項３乃至５のいずれか１項に記載の情報処理サーバ。
【請求項７】
前記トレース情報データベースを読み出して、前記共通コードと前記製品が検出された位置毎に、前記製品の数量を算出し、所定の位置における前記製品の数量を送信する在庫データ送信手段
を更に備えることを特徴とする請求項３乃至６のいずれか１項に記載の情報処理サーバ。
【請求項８】
製品を提供するメーカと、前記メーカから製品を提供される販社と、前記販社から製品を提供されるユーザと通信ネットワークを介して情報を送受信する情報処理プログラムにおいて、
前記メーカ、前記販社及び前記ユーザに設けられたゲート装置から、前記製品を識別する識別子に前記読み出された処理日時と場所と発生したイベントと前記製品の情報とが関連づけられたイベントデータを受信するイベントデータ受信ステップと、
前記イベントデータ受信手段で受信された前記イベントデータを読み出し、前記製品の識別子毎に、前記処理時刻と前記製品が検出された位置とを関連づけてトレース情報データベースに記憶するイベントデータ処理ステップ
とをコンピュータに実行させることを特徴とする情報処理プログラム。
【請求項９】
前記イベントデータ処理ステップは、前記イベントデータに含まれた前記メーカ、前記販社及び前記ユーザのいずれか一つ以上の組織固有のコードと、前記情報処理サーバで一意に識別できる共通コードとが関連づけられた共通コードデータベース読み出して、前記イベントデータに含まれた前記組織固有のコードを、前記共通コードに変換して前記トレース情報データベースに記憶するステップである
ことを特徴とする請求項８に記載の情報処理プログラム。
【請求項１０】
前記共通コードデータベースは更に、前記メーカ、前記販社及び前記製品のいずれかが属する業界で標準化された標準化コードが更に関連づけられており、
前記メーカ、前記販社及び前記ユーザのいずれか一つの組織に設けられた情報端末から、前記組織内で利用されている組織内コードと前記組織内コードに対応する前記標準化コードとが関連づけられた組織データを受信する組織データ受信ステップと、
前記標準化コードをキーとして前記共通コードデータベースを検索し、前記標準化コードに対応する共通コードが抽出された場合、前記組織内コードと抽出された前記共通コードとを関連づけて前記共通コードデータベースに記憶し、前記標準化コードに対応する共通コードが抽出されなかった場合、前記共通コードを新たに採番し、前記共通コードデータベースに記憶する共通コード生成ステップ
を更にコンピュータに実行させることを特徴とする請求項９に記載の情報処理プログラム。
【請求項１１】
前記イベントデータ処理ステップは更に、前記製品の情報に含まれた有効期限に基づいて、前記製品に関するアラートメッセージを送信する
ことを特徴とする請求項８乃至１０のいずれか１項に記載の情報処理プログラム。
【請求項１２】
前記トレース情報データベースを読み出して、前記共通コードと前記製品が検出された位置毎に、前記製品の数量を算出し、所定の位置における前記製品の数量を送信する在庫データ送信ステップ
を更に備えることを特徴とする請求項８乃至１１のいずれか１項に記載の情報処理プログラム。
【発明の詳細な説明】
【技術分野】
【０００１】
本発明は、製品を提供するメーカと、メーカから製品を提供される販社と、販社から製品を提供されるユーザと通信ネットワークを介して情報を送受信する情報処理システム、情報処理サーバ及び情報処理プログラムに関する。
【背景技術】
【０００２】
流通業界において、バーコードに代わる商品の識別及び管理として、ＲＦＩＤ（Radio Frequency Identification）技術が注目を浴びている。ＲＦＩＤ技術においては、微小な無線チップを人や物に埋め込むことにより、その埋め込まれた対象物を識別及び管理することができる。又、ＲＦＩＤ技術では、耐環境性に優れた数センチ程度の大きさのタグに、対象物に関する情報を記憶し、電波や電磁波などの非接触媒介でリーダーと交信する。ＲＦＩＤタグは様々な分野で期待されているが、例えば、医療業界への適用も考えられる。特に医療業界においては、薬事法の改正に伴い高度医療品のトレースが求められており、このトレースにおいてＲＦＩＤの活用が期待されている。
【０００３】
医療業界においては、図１２に示すような医療品の提供形態がある。まず、図１２（ａ）に示すように、メーカ１０から販社２０を介して病院３０に販売する形態がある。図１２（ａ）に示した方法では、メーカ１０から販社２０に医療品を販売し、それに対して販社２０は、メーカ１０に売上伝票を送付するとともに病院３０に購入した医療品を販売する。次に、図１２（ｂ）に示しすように、長期貸出販売であって病院に所定数の医療品を貸し出し利用した分だけを販売する形態がある。この場合、メーカ１０は販社２０に商品を貸し出し、販社２０は、病院３０に貸し出し、病院３０は手術室前などの置倉庫に保管する。病院で利用されると病院３０は販社２０を介してメーカ１０に追加分をオーダーする。これに対してメーカ１０は販社２０に商品を販売し、それに対して販社２０は、メーカ１０に売上伝票を送付するとともに病院３０に購入した医療品を在庫する。図１２（ｃ）に示すように、短期貸出であってサイズ違いの同製品を数種類を病院３０に貸し出し、患者のサイズに合致した医療品のみを購入し、合致しなかった残りを返品する形態がある。この場合、使用実績により費用が発生する。
【０００４】
次に図１３を参照して、医療業界における医療品の流れを説明する。メーカ１０の製造工場において医療品が作成されると、メーカ１０の倉庫などに入庫しラベルなどを貼って在庫保管される。メーカ１０において販社２０から貸出依頼が受領されると、物流センターにおいて倉庫からのピッキング指示が作成され宛先に応じて送付される。販社では、メーカ１０から医療品を受け取ると、それを病院毎に振り分け、病院３０の倉庫などに在庫される。病院３０は、手術スケジュールや使用された医療品の情報に基づいて、販社に発注し、販社で、病院、製品名、数量などを明記した貸出依頼を作成し、メーカ１０に送信する。一方病院において在庫された医療品を返却する場合、販社２０において返却伝票を記入し、メーカ１０において返却伝票の内容を現物をチェックし倉庫に戻す。
【０００５】
例えば、医療用具を識別する個別ＩＤをバーコード化して貼付し、医療用具の滅菌作業や廃棄／リユース判定作業の繁雑さを解消する医療用具のリユース管理システムがある（例えば、特許文献１）。この特許文献１においては、滅菌業者に一括して滅菌作業を行わせた後、医療用品の個別ＩＤに対応する施設ＩＤを読み出して、正しい貸出先に仕分けることを可能にしている。
【０００６】
又、医療機器の稼働内容をサーバに通知することにより、医療機関側は、自身が使用している医療機器の消耗度に関する情報を手軽に知ることができるとともに、各医療機関に設置された医療機器の管理する側でもそれらの医療機関の状況を把握できるようになる（特許文献２）。
【特許文献１】特開２００４−１３８３７号公報
【特許文献２】特開２００３−３１６９４１号公報
【発明の開示】
【発明が解決しようとする課題】
【０００７】
しかし、上述した特許文献１及び特許文献２に記載の方法においては、薬事法の改正に伴って、メーカ、販社、病院に渡って、複雑な販売形態で提供される医療品のトレースに対応できるものではない。又、メーカ、販社、病院などの各組織は、各組織固有のコードを持っており、あるＸ社を示すコードでも、ＡメーカとＫ販社では、採番されているコードが異なり、これらの組織の力関係に応じて伝票の形態が異なってくる場合がある。従って、メーカ、販社及び病院でやりとりされるデータを単純にトレースすることは不可能である。
【０００８】
従って本発明の目的は、医療品を提供するメーカと、メーカから医療品を提供される販社と、販社から製品を提供される病院とから、通信ネットワークを介して医療品のトレース情報をムーズに取得することのできる情報処理システム、情報処理サーバ及び情報処理プログラムを提供することである。
【課題を解決するための手段】
【０００９】
上記課題を解決するために、本発明の第１の特徴は、製品を提供するメーカと、メーカから製品を提供される販社と、販社から製品を提供されるユーザと通信ネットワークを介して情報を送受信する情報処理サーバを備えた情報処理システムに関する。即ち本発明の第１の特徴に係る情報処理システムは、メーカに設けられ、メーカから提供される製品に含まれたＩＤタグを読み出して、製品を識別する識別子に読み出された処理日時と場所と発生したイベントと製品の情報とが関連づけられたイベントデータをＩＤタグに書き込むとともにイベントデータを情報処理サーバに送信するメーカゲート装置と、販社に設けられ、メーカから提供される製品に含まれたＩＤタグを読み出して、イベントデータをＩＤタグに書き込むとともにイベントデータを情報処理サーバに送信する販社ゲート装置と、ユーザに設けられ、メーカから提供される製品に含まれたＩＤタグを読み出して、イベントデータをＩＤタグに書き込むとともにイベントデータを情報処理サーバに送信するユーザゲート装置と、メーカゲート装置と販社ゲート装置とユーザゲート装置とからイベントデータを受信して、製品の識別子毎に、処理時刻と製品が検出された位置とを関連づけたトレース情報を作成する情報処理サーバとを備える。
【００１０】
このような本発明の第１の特徴に係る情報処理システムによれば、メーカ、販社、ユーザに設けられたゲートに製品を通過させ、ゲートによって製品に含まれたＩＤタグを読み出させて、読み出された情報を情報処理サーバ１に送信することにより、情報処理サーバにおいて処理時刻と製品が検出された位置とを関連づけたトレース情報を作成することができる。ここで、ユーザとは個人に限らず法人も含まれ、製品の提供を受ける組織のことである。本発明の情報処理システムは、半導体製品業界や家電業界、医薬品業界、医療用具、医療機器業界、食品業界、書店業界など、様々な流通業界に適用可能である。
【００１１】
ここで、情報処理サーバは更に、イベントデータに含まれたメーカ、販社及びユーザのいずれか一つ以上の組織固有のコードを、情報処理システムで一意に識別できる共通コードに変換してトレース情報を作成するのが好ましい。
【００１２】
これにより、製品に含まれたＩＤタグにおいて記憶されたデータが組織内コードであっても、共通コードに変換することができるので、情報処理システムにおいて一意に識別できるコードでイベントを把握することができる。これにより、より正確なトレース情報を作成することができる。
【００１３】
本発明の第２の特徴は、製品を提供するメーカと、メーカから製品を提供される販社と、販社から製品を提供されるユーザと通信ネットワークを介して情報を送受信する情報処理サーバに関する。即ち本発明の第２の特徴に係る情報処理サーバは、メーカ、販社及びユーザに設けられたゲート装置から、製品を識別する識別子に読み出された処理日時と場所と発生したイベントと製品の情報とが関連づけられたイベントデータを受信するイベントデータ受信手段と、イベントデータ受信手段で受信されたイベントデータを読み出し、製品の識別子毎に、処理時刻と製品が検出された位置とを関連づけてトレース情報データベースに記憶するイベントデータ処理手段とを備える。
【００１４】
この様な本発明の第２の特徴に係る情報処理サーバによると、メーカ、販社、ユーザに設けられたゲートに製品を通過させ、ゲートによって製品に含まれたＩＤタグを読み出させて、読み出された情報を情報処理サーバ１に送信することにより、情報処理サーバにおいて処理時刻と製品が検出された位置とを関連づけたトレース情報を作成することができる。
【００１５】
ここで、イベントデータに含まれたメーカ、販社及びユーザのいずれか一つ以上の組織固有のコードと、情報処理サーバで一意に識別できる共通コードとが関連づけられた共通コードデータベースを更に備え、イベントデータ処理手段は、イベントデータに含まれた組織固有のコードを、共通コードに変換してトレース情報データベースに記憶するのが好ましい。
【００１６】
これによると、製品に含まれたＩＤタグにおいて記憶されたデータが組織内コードであっても、共通コードに変換することができるので、情報処理システムにおいて一意に識別できるコードでイベントを把握することができる。これにより、より正確なトレース情報を作成することができる。
【００１７】
ここで、共通コードデータベースは更に、メーカ、販社及びユーザのいずれかが属する業界で標準化された標準化コードが更に関連づけられており、メーカ、販社及びユーザのいずれか一つの組織に設けられた情報端末から、組織内で利用されている組織内コードと組織内コードに対応する標準化コードとが関連づけられた組織データを受信する組織データ受信手段と、標準化コードをキーとして共通コードデータベースを検索し、標準化コードに対応する共通コードが抽出された場合、組織内コードと抽出された共通コードとを関連づけて共通コードデータベースに記憶し、標準化コードに対応する共通コードが抽出されなかった場合、共通コードを新たに採番し、共通コードデータベースに記憶する共通コード生成手段を更に備えるのが好ましい。
【００１８】
これによると、組織内のコードから、標準化コードを媒介として共通コードと関連づけることができるので、情報処理サーバは、一意に識別できる共通コードで各イベントを管理することができる。
【００１９】
又、イベントデータ処理手段は更に、製品の情報に含まれた有効期限に基づいて、製品に関するアラートメッセージを送信するのが好ましい。
【００２０】
これによると、流通途中で製品の有効期限が切れた場合、又は切れそうになった場合でもその商品の流通を停止することができる。
【００２１】
更に、トレース情報データベースを読み出して、共通コードと製品が検出された位置毎に、製品の数量を算出し、所定の位置における製品の数量を送信する在庫データ送信手段を備えるのが好ましい。
【００２２】
これによると、例えば各拠点での棚卸時に、情報処理サーバで管理されている在庫数を提示することができる。
【００２３】
本発明の第３の特徴は、製品を提供するメーカと、メーカから製品を提供される販社と、販社から製品を提供されるユーザと通信ネットワークを介して情報を送受信する情報処理プログラムに関する。即ち、本発明の第３の特徴に係る情報処理プログラムは、メーカ、販社及びユーザに設けられたゲート装置から、製品を識別する識別子に読み出された処理日時と場所と発生したイベントと製品の情報とが関連づけられたイベントデータを受信するイベントデータ受信ステップと、イベントデータ受信手段で受信されたイベントデータを読み出し、製品の識別子毎に、処理時刻と製品が検出された位置とを関連づけてトレース情報データベースに記憶するイベントデータ処理ステップとをコンピュータに実行させる。
【００２４】
ここで、イベントデータ処理ステップは、イベントデータに含まれたメーカ、販社及びユーザのいずれか一つ以上の組織固有のコードと、情報処理サーバで一意に識別できる共通コードとが関連づけられた共通コードデータベース読み出して、イベントデータに含まれた組織固有のコードを、共通コードに変換してトレース情報データベースに記憶するステップであることが好ましい。
【００２５】
又、共通コードデータベースは更に、メーカ、販社及びユーザのいずれかが属する業界で標準化された標準化コードが更に関連づけられており、メーカ、販社及びユーザのいずれか一つの組織に設けられた情報端末から、組織内で利用されている組織内コードと組織内コードに対応する標準化コードとが関連づけられた組織データを受信する組織データ受信ステップと、標準化コードをキーとして共通コードデータベースを検索し、標準化コードに対応する共通コードが抽出された場合、組織内コードと抽出された共通コードとを関連づけて共通コードデータベースに記憶し、標準化コードに対応する共通コードが抽出されなかった場合、共通コードを新たに採番し、共通コードデータベースに記憶する共通コード生成ステップを更にコンピュータに実行させることが好ましい。
【００２６】
更に、イベントデータ処理ステップは更に、製品の情報に含まれた有効期限に基づいて、製品に関するアラートメッセージを送信することが好ましい。
【００２７】
更に、トレース情報データベースを読み出して、共通コードと製品が検出された位置毎に、製品の数量を算出し、所定の位置における製品の数量を送信する在庫データ送信ステップを更に備えることが好ましい。
【発明の効果】
【００２８】
本発明によれば、医療品を提供するメーカと、メーカから製品を提供される販社と、販社から製品を提供される病院とから、通信ネットワークを介して製品のトレース情報をムーズに取得することのできる情報処理システム、情報処理サーバ及び情報処理プログラムを提供することができる。
【発明を実施するための最良の形態】
【００２９】
次に、図面を参照して、本発明の実施の形態を説明する。以下の図面の記載において、同一又は類似の部分には同一又は類似の符号を付している。本発明の実施の形態においては、流通業界の一例について、医療業界について記述する。「組織」とは、医療業界の場合、医療品を提供するメーカ、医療品を仲介する販社、医療品を利用する診療所や病院などのことである。この場合、特許請求の範囲における「製品」は、病院などで利用される医療器具、薬などであり、「ユーザ」は、医療品を利用する診療所や病院などである。
【００３０】
（最良の実施の形態）
図１に示すように本発明の最良の実施の形態に係る情報処理システムは、情報処理サーバ１と通信ネットワーク２を備えている。情報処理サーバ１は、通信ネットワーク２を介して、メーカ１０ａ及び１０ｂ、販社２０ａ及び２０ｂ、病院３０ａ及び３０ｂから医療品の情報を送受信することができる。
【００３１】
メーカ１０ａには、例えば、メーカ１０ａの倉庫や作業場などに設けられたメーカゲート１２ａと、メーカ１０ａの情報が管理されているメーカサーバ１１ａを備えている。メーカゲート１２ａ及びメーカサーバ１１ａは、通信ネットワーク２を介して情報処理サーバ１と通信可能である。メーカゲート１２ａは、例えばメーカ１０ａから医療品を搬出する場合に通過するゲートであって、メーカ１０から提供される医療品に含まれたＲＦＩＤタグを読み出して、医療品を識別する識別子に読み出された処理日時と場所と発生したイベントと医療品の情報とが関連づけられたイベントデータをＲＦＩＤタグに書き込むとともにイベントデータを情報処理サーバ１に送信する。このとき、メーカゲート１２ａによって、ＲＦＩＤタグに、例えばメーカゲート１２ａを通過したことを示すトレース情報が記憶されても良い。又、メーカゲート１２ａは、製品Ｐ０１が搬入されたときと搬出されたときにトレース情報を生成しても良い。このとき、製品の有効期限などの情報も記載されても良い。ここでＲＦＩＤタグの記憶に時間を要する場合、製品Ｐ０１が搬入されたときに製品Ｐ０１の情報を取得し、製品Ｐ０１を搬出するときに製品Ｐ０１のＲＦＩＤに情報を書き出しても良い。メーカ１０ｂ、販社２０ａ及び２０ｂ、病院３０ａ及び３０ｂも、メーカ１０ｂと同様の構成を備える。
【００３２】
本発明の最良の実施の形態において、医療品に含まれるＲＦＩＤタグには、図２に示すようなデータが記憶される。具体的には、日本の共通商品コードとして利用されているＪＡＮの製品コード、商品の有効期限、製品が製造されたロット番号やシリアル番号、数量、製造元のメーカコード、製造日又は出荷日、製造出荷場所情報、出荷伝票番号などの製造メーカ管理番号、販売、長期貸出、短期貸出、サンプル品などの出荷区分、病院コードや名称などの納品先予定情報、メーカ、販社、病院などの所有者がこの製品を使用して良いか否か、廃棄処分されるかなどの使用可否情報、トレース区分を備えている。又、メーカ、販社、病院などの組織に備えられたゲートを通る度に、トレースカウンタ、現在場所情報、作業区分情報、イベントアラート情報、不良品情報などが記憶される。トレースカウンタは、医療品がゲートを通過する度に例えばインクリメントされるシーケンス番号である。現在場所情報は、組織を識別する組織コードに、組織内で設けられたゲートを識別する場所コードが付与されており、医療品が通過したゲートを識別している。現在場所情報には更に、そのゲートの名称が含まれていても良い。作業区分情報は、入荷、出荷、検品などのゲートに通過させた作業が記憶されている。イベント・アラート情報としては、例えば納品された場合や不良品であった場合や有効期限が切れてしまっていた場合などのイベントやアラート情報が記憶される。このＩＤタグデータ５１に記憶された情報は、ゲートを通過する度に情報処理サーバ１に送信される。
【００３３】
本発明の最良の実施の形態に係る情報システムによれば、下記の様なサービスを提供することができる。  
（１）高度医療品自動読み取りサービス：医療品を開梱することなく、医療品に含まれたＲＦＩＤを読み取りできるＲＦＩＤゲートが各拠点に設置されているので、情報処理サーバ１において、各医療品のトレース情報を受信し、収集する。  
（２）トレース情報ダウンロードサービス：（１）で収集されたトレース情報を、ダウンロードさせる。この場合、各組織に関連する製品のトレース情報のみをダウンロードさせるように権限が設定される。  
（３）組織間コード変換マッピングサービス：他社製品コードなどを自社システムに取り込みやすい形式に変換し、変換された情報に基づいて情報を配信し、その情報を送るべき組織に送付する。  
（４）貸出在庫（置き在庫）管理サービス：図１２（ｂ）及び（ｃ）で示したような方法で医療品を提供する場合、所定の組織に在庫されている医療品の種類と数、所定の医療品が在庫されている組織と数などの情報を管理する。これにより、在庫の定点補充管理や棚卸を行う。  
（５）受発注・検品現物照合サービス：業界独自の受発注ＶＡＮとサイト連携させ、情報処理サーバ１から現物検品情報を提供することにより、各組織の検品・受け入れ作業を支援する。
【００３４】
次に、図３及び図４を参照して本発明の最良の実施の形態に係る情報処理サーバ１を説明する。情報処理サーバ１は、メーカゲート１２ａ及び１０ｂと販社ゲート２２ａ及び２２ｂと病院ゲート３２ａ及び３２ｂとからイベントデータを受信して、医療品の識別子毎に、処理時刻と医療品が検出された位置とを関連づけたトレース情報を作成する。情報処理サーバ１は更に、イベントデータに含まれたメーカ、販社及び病院のいずれか一つ以上の組織固有のコードを、情報処理システムで一意に識別できる共通コードに変換してトレース情報を作成する
図４に示すように、本発明の最良の実施の形態に係る情報処理サーバ１は、中央処理制御装置１０１、ＲＯＭ（Read Only Memory）１０２、ＲＡＭ（Random Access Memory）１０３及び入出力インタフェース１０９が、バス１１０を介して接続されている。入出力インタフェース１０９には、入力装置１０４、表示装置１０５、通信制御装置１０６、記憶装置１０７及びリムーバブルディスク１０８が接続されている。
【００３５】
中央処理制御装置１０１は、入力装置１０４からの入力信号に基づいてＲＯＭ１０２から情報処理サーバ１を起動するためのブートプログラムを読み出して実行し、更に記憶装置１０７に記憶されたオペレーティングシステムを読み出す。更に中央処理制御装置１０１は、入力装置１０４や通信制御装置１０６などの入力信号に基づいて、各種装置の制御を行ったり、ＲＡＭ１０３や記憶装置１０７などに記憶されたプログラム及びデータを読み出してＲＡＭ１０３にロードするとともに、ＲＡＭ１０３から読み出されたプログラムのコマンドに基づいて、データの計算又は加工など、後述する一連の処理を実現する処理装置である。
【００３６】
入力装置１０４は、操作者が各種の操作を入力するキーボード、マウスなどの入力デバイスにより構成されており、操作者の操作に基づいて入力信号を作成し、入出力インタフェース１０９及びバス１１０を介して中央処理制御装置１０１に送信される。表示装置１０５は、ＣＲＴ（Cathode Ray Tube）ディスプレイや液晶ディスプレイなどであり、中央処理制御装置１０１からバス１１０及び入出力インタフェース１０９を介して表示装置１０５において表示させる出力信号を受信し、例えば中央処理制御装置１０１の処理結果などを表示する装置である。通信制御装置１０６は、ＬＡＮカードやモデムなどの装置であり、情報処理サーバ１をインターネットやＬＡＮなどの通信ネットワークに接続する装置である。通信制御装置１０６を介して通信ネットワークと送受信したデータは入力信号又は出力信号として、入出力インタフェース及びバス１１０を介して中央処理制御装置１０１に送受信される。
【００３７】
記憶装置１０７は磁気ディスク装置、半導体ディスク（フラッシュメモリ）装置等であって、中央処理制御装置１０１で実行されるプログラムやデータが記憶されている。リムーバブルディスク１０８は、光ディスクやフレキシブルディスクのことであり、ディスクドライブによって読み書きされた信号は、入出力インタフェース１０９及びバス１１０を介して中央処理制御装置１０１に送受信される。
【００３８】
本発明の最良の実施の形態に係る情報処理サーバ１の記憶装置１０７には、情報処理プログラムが記憶されるとともに、組織データ１６１、共通コードデータベース１６２、イベントデータ１６３、トレース情報データベース１６４、在庫データ１６５が記憶される。又、情報処理プログラムが情報処理サーバ１の中央処理制御装置１０１に読み込まれ実行されることによって、組織データ受信手段１５１、共通コード生成手段１５２、イベントデータ受信手段１５３、イベントデータ処理手段１５４、在庫情報生成手段１５５及び在庫データ送信手段１５６が情報処理サーバ１に実装される。
【００３９】
組織データ受信手段１５１は、メーカ１０ａ及び１０ｂ、販社２０ａ及び２０ｂ、病院３０ａ及び３０ｂのいずれか一つの組織に設けられた情報端末から、組織内で利用されている組織内コードと組織内コードに対応する標準化コードとが関連づけられた組織データ１６１を受信する手段である。ここでメーカ１０ａ及び１０ｂ、販社２０ａ及び２０ｂ、病院３０ａ及び３０ｂのいずれか一つの組織に設けられた情報端末とは具体的には、図１に示すメーカサーバ１１ａ及び１１ｂ、販社サーバ２１ａ及び２１ｂ、病院サーバ３１ａ及び３１ｂである。
【００４０】
このときに、組織で活用されているシステムのデータベースの項目と、本発明の最良の実施の形態に係る情報処理サーバ１が必要とするデータとを対応付けた項目対応データを組織のサーバで作成させるのが好ましい。具体的には、図５の項目対応付け画面Ｐ１０１に示されるように、サイト要求データの「業界標準コード（優先度１）」の項目には「ＪＡＮコード」の項目が対応付けられており、「業界標準コード（優先度２）」の項目には「ＵＰＮコード」の項目が対応付けられている。この図５に示したこの対応付けの作業に基づいて、図６に示したような項目対応データが生成される。この項目対応データに基づいて組織のシステムで利用されているデータベースのデータと情報処理サーバ１が必要とするデータとが対応付けられて、組織のサーバで組織データが生成される。組織データには、図７に示すように「業界標準コード（優先度１）」の項目に、組織で活用されているシステムの「ＪＡＮコード」のデータが関連づけられている。組織データが生成されると組織のサーバは、情報処理サーバ１に項目対応データと組織データを送信し、組織データ受信手段１５１によって項目対応データ１６０と組織データ１６１が受信され記憶装置１０７に記憶される。
【００４１】
共通コードデータベース１６２は、メーカ１０ａ及び１０ｂ、販社２０ａ及び２０ｂ及び病院３０ａ及び３０ｂのいずれか一つ以上の組織固有のコードと、情報処理サーバ１で一意に識別できる共通コードが関連づけられたデータベースである。このとき、この共通コードに組織のいずれかが属する業界で標準化された標準化コードが更に関連づけられている。
【００４２】
共通コードデータベース１６２には、情報処理サーバ１で利用される各コードの共通コードの定義が記憶されている。本発明の最良の実施の形態に係る情報処理サーバ１においては、情報処理サーバ１を利用する組織の組織マスタ、情報処理サーバ１で扱われる医療品の製品マスタ、情報処理システムに設けられたゲートの場所マスタの各マスタファイルを備えている。
【００４３】
図８に示すように、組織マスタは、本発明の最良の実施の形態に係る情報処理システムで組織を一意に識別できる共通組織コードをキーとして、組織名と、病院、販社或いはメーカの組織の種別が記憶されている。更に、その組織を示すＤＵＮＳコード、メーカ業界で利用されるメーカ統一コード、販社業界で利用される販社統一コード、病院業界で利用される病院統一コードなど、一部の業界で識別されるコードが関連づけられている。例えば、ＤＵＮＳコードが採番されていない組織でも、メーカ統一コードが採番されていると、メーカ統一コードに基づいて共通組織コードを決定することができる。更に、他社共通組織コードと、他社内組織コードとが、その他社だけで利用されている社内コードである他社共通企業コード毎の繰り返しで記憶されている。より具体的には、メーカ１０ａでは、販社２０ａのことを「ａａａａａ」と採番しており、メーカ１０ａの共通組織コードが「ｍｍｍｍｍ」で、販社２０ａの共通組織コードが「ｎｎｎｎｎ」である場合、共通組織コード「ｎｎｎｎｎ」及び、他社共通組織コードが「ｍｍｍｍｍ」に関連づけられた他社内組織コードは、「ａａａａａ」である。
【００４４】
製品マスタは、本発明の最良の実施の形態に係る情報処理システムで製品を一意に識別できる共通製品コードをキーとして、商品名が記憶されている。更にその医療品を示すメーカの自社カタログ番号、日本で利用されるＪＡＮコード、世界で利用されているＵＰＮコードなどが関連づけられている。例えば、新しい医療品が販売され、ＪＡＮコードは採番されているがＵＰＮコードが採番されていない場合でも、ＪＡＮコードをキーに共通製品コードを決定することができる。他社共通製品コードと、他社内製品コードとが、その他社だけで利用されている社内コードである他社共通企業コード毎の繰り返しで記憶されている。より具体的には、メーカ１０ａでは、ある製品のことを「ａａａａａ」と採番しており、メーカ１０ａの共通組織コードが「ｍｍｍｍｍ」で、その製品の共通組織コードが「ｎｎｎｎｎ」である場合、共通製品コード「ｎｎｎｎｎ」及び、他社共通組織コードが「ｍｍｍｍｍ」に関連づけられた他社内製品コードは、「ａａａａａ」である。
【００４５】
場所マスタは、本発明の最良の実施の形態に係る情報処理システムにおいでゲートを一意に識別できる共通組織コードとその組織における場所コードをキーとして、場所名称、定点管理の有無、定点管理有の場合に管理される医療品の共通製品コードと定点在庫数の組み合わせ、イベントアラートの有無と、イベントアラート有の場合の基準となるイベントの種類、通知先となるメールアドレス、通知内容の通知情報などのゲートに関する情報が記憶されている。
【００４６】
共通コード生成手段１５２は、組織データ１６１を記憶装置１０７から読み出すとともに、標準化コードをキーとして共通コードデータベース１６２を検索し、標準化コードに対応する共通コードが抽出された場合、組織内コードと抽出された共通コードとを関連づけて共通コードデータベースに記憶し、標準化コードに対応する共通コードが抽出されなかった場合、共通コードを新たに採番し、共通コードデータベース１６２に記憶する手段である。ここで標準化コードとは、図８の組織マスタに示したＤＵＮＳコード、メーカ統一コード、販社統一コード、病院統一コード、製品マスタに示したＪＡＮコード、ＵＰＮコードなど、所定の業界で利用されているコードである。
【００４７】
イベントデータ受信手段１５３は、メーカ１０ａ及び１０ｂ、販社２０ａ及び２０ｂ及び病院３０ａ及び３０ｂに設けられたゲートから、医療品を識別する識別子に読み出された処理日時と場所と発生したイベントと医療品の情報とが関連づけられたイベントデータを受信し、イベントデータ１６３として記憶装置１０７に記憶する手段である。
【００４８】
イベントデータ処理手段１５４は、イベントデータ受信手段１５３で受信されたイベントデータを読み出し、医療品の識別子毎に、処理時刻と医療品が検出された位置とを関連づけてトレース情報データベース１６４に記憶する手段である。このとき、イベントデータ処理手段１５４は、イベントデータ１６３に含まれた組織固有のコードを、共通コードに変換してトレース情報データベース１６４を生成して記憶装置１０７に記憶するのが好ましい。例えば製品に関する製品マスタの場合、イベントデータ処理手段１５４は、イベントデータに含まれる製品コードが、他社内製品コードに一致するレコードを抽出し、その共通製品コードを取得して、トレース情報データベース１６４に記憶する。トレース情報データベース１６４は、共通コードデータベースに記憶された共通組織コード、共通製品コードなどのコードに変換されて記憶されているのが好ましい。イベントデータ処理手段１５４は更に、医療品の情報に含まれた有効期限に基づいて、医療品に関するアラートメッセージを送信するのが好ましい。
【００４９】
在庫情報生成手段１５５は、トレース情報データベース１６４を読み出して、共通コードと医療品が検出された位置毎に、医療品の数量を算出し、所定の位置における医療品の数量を関連づけた在庫データ１６５を生成して記憶装置１０７に記憶する手段である。
【００５０】
在庫データ送信手段１５６は、記憶装置１０７から在庫データ１６５を読み出して、組織に送信する手段である。具体的には、図９に示すような在庫情報表示画面Ｐ１０２を提示する。ここでは、製品ＮＯ「ＡＡＡ８０３１」が場所２に長期貸出で「２２個」、短期貸出で「１１個」の合計「３３個」あることがわかる。ここで製品ＮＯとは、提示した組織において利用されている組織内コードである。在庫データ送信手段１５６は、在庫データ１６５が共通コードで記憶されている場合、組織内で利用されるコードに変換して在庫データを送信するのが好ましい。
【００５１】
次に、図１０を参照して、本発明の最良の実施の形態に係る情報処理サーバ１の共通コード生成手段１５２の処理について説明する。
【００５２】
まず、共通コード生成手段１５２は、ステップＳ１０１において、記憶装置１０７から項目対応データ１６０及び組織データ１６１を読み出すとともに、ステップＳ１０２において、共通コードデータベース１６２を読み出す。ここで読み出される組織データ１６１は、例えば、メーカ１０ａにおいてある製品を組織内コード「ａａａａａ」で採番されており、この製品のＪＡＮコードが「ＬＬＬＬＬ」、ＵＰＮコードが「ＮＮＮＮＮ」であると記憶されているとする。
【００５３】
ステップＳ１０３において、項目対応データ１６０に基づいて、第１の変換対応コードがＪＡＮコードであるとすると、共通コード生成手段１５２は、組織データ１６１からＪＡＮコード「ＬＬＬＬＬ」を読み出し、ステップＳ１０４において、共通コードデータベース１６２を読み出して、ＪＡＮコードの項目に「ＬＬＬＬＬ」と記憶されているレコードを抽出する。レコードが検索された場合、ステップＳ１０８において、共通コード生成手段１５２は、このレコードを抽出し、このレコードの他社共通企業コードとしてメーカ１０ａの共通組織コード「ｍｍｍｍｍ」と他社内企業コードとしてメーカ１０ａでの組織内コード「ａａａａａ」を関連づけた新たなレコードを作成し、ステップＳ１０９において、共通コードデータベース１６２に更新する。
【００５４】
一方、ステップＳ１０４においてレコードが検索されなかった場合、共通コード生成手段１５２は、ステップＳ１０５において、項目対応データ１６０に基づいて、第２の変換対応コードがＵＰＮコードであるとすると、組織データ１６１からＵＰＮコード「ＮＮＮＮＮ」を読み出し、ステップＳ１０６において、共通コードデータベース１６２を読み出して、ＵＰＮコードの項目に「ＮＮＮＮＮ」と記憶されているレコードを抽出する。レコードが検索された場合、ステップＳ１０８において、共通コード生成手段１５２は、このレコードを抽出し、このレコードの他社共通企業コードとしてメーカ１０ａの共通組織コード「ｍｍｍｍｍ」と他社内企業コードとしてメーカ１０ａでの組織内コード「ａａａａａ」を関連づけた新たなレコードを作成し、ステップＳ１０９において、共通コードデータベース１６２に更新する。
【００５５】
ステップＳ１０６においてレコードが検索されなかった場合、共通コード生成手段１５２は、新たな共通コードを採番して、その共通コードをキーとする新たなレコードを作成し、ステップＳ１０９において、共通コードデータベース１６２に更新する。
【００５６】
次に、図１１を参照して、本発明の最良の実施の形態に係る情報処理サーバ１のイベントデータ処理手段１５４の処理について説明する。
【００５７】
まず、イベントデータ処理手段１５４は、ステップＳ２０１において、記憶装置１０７からイベントデータ１６３を読み出す。次にイベントデータ処理手段１５４は、ステップＳ２０２において、記憶装置１０７から共通コードデータベース１６２を読み出して、イベントデータ１６３に記憶された組織内コードを共通コードに変換する。次にイベントデータ処理手段１５４は、、ステップＳ２０３に含まれた製造日から算出された有効期限と処理日を比較し、ステップＳ２０４において、病院で在庫されることを考慮された所定の日数の余裕があるか否かを判定する。所定の日数の余裕がある場合、ステップＳ２０７において、イベントデータ処理手段１５４は、共通コードに変換されたイベントデータをトレース情報データベース１６４に登録する。
【００５８】
一方、所定の日数の余裕がない場合、ステップＳ２０５において、イベントデータ処理手段１５４は、共通コードデータベース１６２の製品マスタを参照し、イベントデータの通知の必要があるか否かを判定する。通知の必要がない場合、ステップＳ２０７において、イベントデータ処理手段１５４は、共通コードに変換されたイベントデータをトレース情報データベース１６４に登録する。
【００５９】
ステップＳ２０４において所定の日数の余裕がない場合、イベントデータ処理手段１５４は、当該製品のＩＤタグに製品を使用不可にさせるメッセージをゲートに向けて送信するのが好ましい。
【００６０】
この様に本発明の最良の実施の形態によれば、組織に設けられたゲートを医療品が通過する度に、情報処理サーバ１がイベント情報として当該医療品の情報を取得するので、各拠点の在庫や、製品のトレース情報を生成することができる。又、イベント情報は、情報処理システムで一意に識別できる共通コードに変換されるので、各組織が固有のコードを利用していても、情報処理サーバ１で一括して管理することができる。
【００６１】
（その他の実施の形態）
上記のように、本発明の最良の実施の形態によって記載したが、この開示の一部をなす論述及び図面はこの発明を限定するものであると理解すべきではない。この開示から当業者には様々な代替実施の形態、実施例及び運用技術が明らかとなる。
【００６２】
例えば、各組織から送信された貸出伝票や納品伝票などの伝票のデータについて、伝票データに記載された組織内コードが共通コードに変換して、組織に送信する手段を備えていても良い。
【００６３】
また、本発明の最良の実施の形態においては医療業界について記載したが、その他の半導体製品業界や家電業界、医薬品業界、医療用具、医療機器業界、食品業界、書店業界などについても同様のシステムを適用することができる。例えば、食料品業界の場合、メーカは生産者や食料品会社、販社は小売り業者、ユーザはスーパーなどであり、「有効期限」は、「賞味期限」である。本発明の情報処理システムは、メーカから販社を経由してユーザに提供された製品の流通経路をトレースするあらゆるシステムに適用することができる。
【００６４】
本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００６５】
【図１】本発明の最良の実施の形態に係る情報処理システムのシステム構成図である。
【図２】本発明の最良の実施の形態に係る情報処理システムにおいて使用されるＩＤタグのデータ項目例を示した図である。
【図３】本発明の最良の実施の形態に係る情報処理サーバの機能ブロック図である。
【図４】本発明の最良の実施の形態に係る情報処理サーバのハードウェア構成図である。
【図５】本発明の最良の実施の形態において、組織において項目を対応付ける項目対応付け画面の一例である。
【図６】本発明の最良の実施の形態に係る情報処理サーバの項目対応データのデータ構造の一例である。
【図７】本発明の最良の実施の形態に係る情報処理サーバの組織データのデータ構造とデータの一例である。
【図８】本発明の最良の実施の形態に係る情報処理サーバの共通コードデータベースのデータ構造の一例である。
【図９】本発明の最良の実施の形態に係る情報処理サーバが提示する在庫情報表示画面の一例である。
【図１０】本発明の最良の実施の形態に係る情報処理サーバの共通コード生成処理の処理を説明するフローチャートである。
【図１１】本発明の最良の実施の形態に係る情報処理サーバのイベントデータ処理の処理を説明するフローチャートである。
【図１２】医療業界における医療品の提供方法を示す図である。
【図１３】医療業界における医療品を提供する手順を示す図である。
【符号の説明】
【００６６】
１…情報処理サーバ
２…通信ネットワーク
１０ａ，１０ｂ…メーカ
１１ａ，１１ｂ…メーカサーバ
１２ａ，１０ｂ…メーカゲート
２０ａ，２０ｂ…販社
２１ａ，２１ｂ…販社サーバ
２２ａ，２２ｂ…販社ゲート
３０ａ，３０ｂ…病院
３１ａ，３１ｂ…病院サーバ
３２ａ，３２ｂ…病院ゲート
５１…ＩＤタグデータ
１０１…中央処理制御装置
１０２…ＲＯＭ
１０３…ＲＡＭ
１０４…入力装置
１０５…表示装置
１０６…通信制御装置
１０７…記憶装置
１０８…リムーバブルディスク
１０９…入出力インタフェース
１１０…バス
１５１…組織データ受信手段
１５２…共通コード生成手段
１５３…イベントデータ受信手段
１５４…イベントデータ処理手段
１５５…在庫情報生成手段
１５６…在庫データ送信手段
１６０…項目対応データ
１６１…組織データ
１６２…共通コードデータベース
１６３…イベントデータ
１６４…トレース情報データベース
１６５…在庫データ
【図１】
2005335926.tif 000003
【図２】
2005335926.tif 000004
【図３】
2005335926.tif 000005
【図４】
2005335926.tif 000006
【図５】
2005335926.tif 000007
【図６】
2005335926.tif 000008
【図７】
2005335926.tif 000009
【図８】
2005335926.tif 000010
【図９】
2005335926.tif 000011
【図１０】
2005335926.tif 000012
【図１１】
2005335926.tif 000013
【図１２】
2005335926.tif 000014
【図１３】
2005335926.tif 000015